(57)【特許請求の範囲】
【請求項１】
原稿を照明するための光源と、該光源で照明された原稿からの反射光を導く第１ミラーとを備える第１走行体と、前記光源で照明された原稿からの反射光を導く第２、第３ミラーを備える第２走行体と、導かれた反射光を結像させるレンズ及び該レンズにより結像された反射光を電気信号に変換する光電変換素子とを有するレンズブロックユニットとを有し、
前記レンズブロックユニットが、前記レンズを保持するレンズ保持部材と、前記レンズに掛け回して両下端を前記レンズ保持部材に取り付けて前記レンズを固定するレンズ固定部材と、該レンズ固定部材と前記レンズ保持部材の上に取り付けるアースされているレンズ支持部材を備え、
該レンズ支持部材が前記第１、第２走行体が移動するレールに固定されている画像読取装置において、
前記レンズ支持部材を前記レンズ固定部材の上方に配し、
前記レンズ固定部材自身を前記レンズ支持部材に対して下方から接触させ、該レンズ支持部材を介してアースしてなる、
ことを特徴とする画像読取装置。
【請求項２】
請求項１に記載の画像読取装置を備えたことを特徴とする画像形成装置。
【発明の詳細な説明】
【技術分野】
【０００１】
本発明は、スキャナ等の画像読取装置に関し、特に縮小光学系を利用した画像読取装置に関し、またこれを用いた複写機やファクシミリ等の画像形成装置に関する。
【背景技術】
【０００２】
近年、複写機等の画像形成装置における生産性向上に伴い、画像読取装置も高速化してきており、ＣＣＤの画素クロックも高速化してきている。一方、電磁波や騒音などユーザーに影響を及ぼす項目に対する関心の高まりにより、それらに対する規格、規制等も年々厳しくなってきている。
【０００３】
原稿を照明するための光源、この光源で照明された原稿からの反射光を導く第１ミラーを備える第１走行体、光源で照明された原稿からの反射光を導く第２、第３ミラーを備える第２走行体、導かれた反射光を結像させるレンズ及びレンズ固定部材、レンズ保持部材、レンズ支持部材等から構成されるレンズブロックユニット、及び結像された反射光を電気信号に変換する光電変換素子を有し、レンズブロックユニットが第２走行体が移動する第２レールに固定されている画像読取装置においては、上述のようないわば環境変化により、従来では無視できるレベルであったレンズ固定部材にのっている電磁波が、ＣＣＤの画素クロックの高速化による電磁波の増加や規制の強化により対応が必要になってきている。
【特許文献１】特開２００２−２４７５５号公報
【特許文献２】特開平７−２８４０８７号公報
【発明の開示】
【発明が解決しようとする課題】
【０００４】
本発明は、このような実情にかんがみてなしたもので、レンズ固定部材にのっている電磁波の放射を低減させることを目的とする。
【課題を解決するための手段】
【０００５】
本発明に係る画像読取装置は、原稿を照明するための光源と、該光源で照明された原稿からの反射光を導く第１ミラーとを備える第１走行体と、前記光源で照明された原稿からの反射光を導く第２、第３ミラーを備える第２走行体と、導かれた反射光を結像させるレンズ及び該レンズにより結像された反射光を電気信号に変換する光電変換素子とを有するレンズブロックユニットとを有し、前記レンズブロックユニットが、前記レンズを保持するレンズ保持部材と、前記レンズに掛け回して両下端を前記レンズ保持部材に取り付けて前記レンズを固定するレンズ固定部材と、該レンズ固定部材と前記レンズ保持部材の上に取り付けるアースされているレンズ支持部材を備え、該レンズ支持部材が前記第１、第２走行体が移動するレールに固定されている画像読取装置において、前記レンズ支持部材を前記レンズ固定部材の上方に配し、前記レンズ固定部材自身を前記レンズ支持部材に対して下方から接触させ、該レンズ支持部材を介してアースしてなる、ことを特徴とする。
【０００６】
本発明に係る画像形成装置は、請求項１に記載の画像読取装置を備えたことを特徴とする。
【発明の効果】
【０００７】
本発明は、レンズ固定部材をレンズ支持部材に接触させ、レンズ支持部材を介してアースしてなることで、レンズ固定部材にのっている電磁波の放射を低減させることが可能となる。
【発明を実施するための最良の形態】
【０００８】
以下本発明を実施するための最良の形態を、図に示す実施例を参照して説明する。
【実施例１】
【０００９】
図１は、本発明の実施対象の一例である画像形成装置であって、画像読取装置を備えたものを示す図である。図１に示す画像形成装置は主に、原稿を読み取る読み取りユニット１２１、画像を形成する画像形成部１２２、シートスルータイプの自動原稿送り装置（以下においてＡＤＦと言う。）１２３、ＡＤＦ１２３から送り出される原稿をスタックする原稿スタッカー９０、給紙カセット１２５ないし１２８を備える給紙部１２９、記録用紙をスタックする排紙トレイ１３０により構成してある。画像形成部１２２には、ベルト状をした中間転写ベルト１３１の上に複数の作像部１３２を並列配置し、各作像部１３２では、ドラム状をした感光体１３３の周囲に、感光体１３３の表面に帯電処理を行う帯電装置、画像情報を感光体１３３の表面にレーザ光で照射する露光装置、感光体１３３の表面に露光されて形成された静電潜像を可視化する現像装置、感光体１３３上に残留するトナーを除去回収するクリーニング装置等が配置してある。
【００１０】
なお図示の例は、作像部１３２が例えばイエロー（Ｙ）、マゼンタ（Ｍ）、シアン（Ｃ）、ブラック（ＢＫ）用のものとなっているカラー画像形成装置であり、中間転写ベルト１３１を回転させつつイエロー（Ｙ）からブラック（ＢＫ）までのトナーを順に現像して中間転写ベルト１３１に転写し、中間転写ベルト１３１上に現像された４色のトナー像を転写装置で用紙に転写するものであるが、本発明はこの例の画像形成装置には限定されず、種々のタイプのものに適用可能である。
【００１１】
図２は本発明に係る画像読取装置（図１の例では読み取りユニット１２１）の全体レイアウトを示す断面図、図３は要部の拡大平面図である。図示の画像読取装置は、その内部に、光学ユニット１が存在し、その光学ユニット内には、光源２ａ及び両端支持された第１ミラー２ｂよりなる第１ミラーユニット２、同じく両端支持された第２ミラー３ａ、第３ミラー３ｂよりなる第２ミラーユニット３、及び原稿の反射光をＣＣＤ上に結像させるレンズブロック４が設けられており、図示しないホストコンピュータから送られてくる１ライン毎の画像読取要求の信号に応じて、第１ミラーユニット２及び第２ミラーユニット３はそれぞれ２：１の速度で原稿に沿って移動しながら逐次画像の読取を行う。
【００１２】
また、レンズブロック内には、結像レンズ５、レンズ固定部材６、レンズ保持部材７、レンズ支持部材８、ＣＣＤ等の光電変換素子９、ＣＣＤ基板１０を備えており、レンズ支持部材８が第２ミラーユニット３が移動するレール１１に取り付けてある。
【００１３】
既述のように、近年の複写機等の画像形成装置における生産性向上に伴う画像読取装置の高速化、ＣＣＤの画素クロックの高速化と、電磁波や騒音などユーザーに影響を及ぼす項目に対する関心の高まりにより、従来ならば無視できるレベルのレンズ固定部材６にのっている電磁波についても、ＣＣＤの画素クロックの高速化による電磁波の増加や規制に対応することが必要になってきている。
【００１４】
そこで本例では、レンズ固定部材６自身をアースに落ちているレンズ支持部材８に接続させることでアースし、レンズ固定部材６にのっている電磁波の放射を低減させることを可能としている。
【００１５】
図４は本実施例に係る画像読取装置の要部の拡大平面図、図５はレンズブロックの拡大断面図である。
既存の構成で単に板バネ等のアース板を追加すると、部品点数、組立工数等が増加し、そのためにコストが増加してしまうことになる。そこで本例では、例えばレンズ固定部材６自身が直接レンズ支持部材８に接触するような構成とし、部品点数や組立工数等を増加させることをなくしている。
【００１６】
すなわち本発明では、レンズ固定部材をアースに落ちているレンズ支持部材に接続させることで、レンズ固定部材にのっている電磁波の放射を低減させることが可能となる。また、レンズ固定部材自身を直接レンズ支持部材に接触するような構成とすることで、部品点数や組立工数等を増加させることなく、コストを抑え得る。
【図面の簡単な説明】
【００１７】
【図１】本発明の実施対象の一例である画像形成装置であって、画像読取装置を備えたものを示す図
【図２】本発明に係る画像読取装置の全体レイアウトを示す断面図
【図３】図２の要部の拡大平面図
【図４】本発明に係る画像読取装置の実施例の要部の拡大平面図
【図５】同レンズブロックの拡大断面図
【符号の説明】
【００１８】
１：光学ユニット
２：第１ミラーユニット
２ａ：光源
２ｂ：第１ミラー
３：第２ミラーユニット
３ａ：第２ミラー
３ｂ：第３ミラー
４：レンズブロック
５：結像レンズ
６：レンズ固定部材
７：レンズ保持部材
８：レンズ支持部材
９：光電変換素子
１０：ＣＣＤ基板
１１：レール
１２１：読み取りユニット
１２２：画像形成部
１２３：自動原稿送り装置（ＡＤＦ）
９０：原稿スタッカー
１２５〜１２８：給紙カセット
１２９：給紙部
１３０：排紙トレイ
１３１：中間転写ベルト
１３２：作像部
１３３：感光体
【図１】
0004716402.tif 000002
【図２】
0004716402.tif 000003
【図３】
0004716402.tif 000004
【図４】
0004716402.tif 000005
【図５】
0004716402.tif 000006